(57)【要約】      （修正有）【課題】狭い溝部等も無理なく溝形状にブラシが沿って清掃出来、一方でブラシでは取りきれない固くこびりついた汚れを掻き落とす事の出来る隙間清掃具セットを提供する。【解決手段】合成樹脂からなる清掃具であって、少なくとも２個以上で構成され、各々の柄部２の一端が平面に連続する鋭角形状３を有し、更に鋭角形状の断面となる溝を有する円形ローレット４の平面形状部を設け、もう一方の柄部２’の一端には、柄部２、２’と平行方向に一体成形で形成されたブラシ部５を設ける。【選択図】図１
0003182272.tif 000002
【実用新案登録請求の範囲】
【請求項１】
合成樹脂からなる清掃具であって、少なくとも２個以上で構成され、各々の柄部（２）の一端が平面に連続する鋭角形状（３）を有し、更に断面に鋭角形状を有する円形ローレット（４）の平面形状部を設け、もう一方の柄部（２’）の一端には、柄部（２）、（２’）と平行方向に一体成形で形成されたブラシ部（５）を設けたことを特徴とする隙間清掃具（１）。
【請求項２】
少なくとも２個以上で構成された隙間清掃具（１）において、隣接する柄部（２）、（２’）の間は軽度の押圧で切断出来る複数のヒンジ部（６）、（６’）が一体成形の手段で形成され、同時に柄部（２’）とブラシ部（５）も一体成形の手段で形成して同時に設けたことを特徴とする請求項１記載の隙間清掃具（１）。
【考案の詳細な説明】
【技術分野】
【０００１】  本考案は、一方の柄部にブラシ部が、もう一方の柄部には、平面にも断面にも鋭角形状の清掃部位を有し、特に狭い隙間や溝等を清掃する際に使用する清掃具に関するものである。
【背景技術】
【０００２】  従来、ブラシ部を有する清掃具としては、トイレ、バス、キッチン等で用いるものが知られている。【０００３】  これらブラシ部を有する清掃具は通常柄部の一端面に合成樹脂又は天然素材からなる繊維状物を植毛したり、針金に螺旋状に巻き付けてブラシ部を構成していた。【０００４】  しかしながらこれらの清掃具は、例えば浴槽内、便器内部全体等を広範囲で清掃する際には適切であるが、狭い隙間や細かい溝等を清掃するには大き過ぎ、清掃出来なかった。【０００５】  一方、細かい部分を清掃するための隙間清掃具が提案されているが、ブラシの植毛方向が柄部に対して垂直方向に植毛されており、狭くて深い溝等にはブラシ部が入らず、実質的に清掃出来なかった。
【先行技術文献】
【０００６】
【先行技術文献１】
実用新案登録第３０５２７１６号
【考案の概要】
【０００７】  上記先行技術文献１に示された実用新案登録の隙間清掃具では、柄部に対して垂直方向、いわゆる歯ブラシの様にブラシが植毛されているため、狭い溝部をブラシで清掃するには合成樹脂で出来た固い柄部とブラシ部も同時に溝部に入れて清掃することになるため、ブラシ部が柔らかく曲がったとしても、柄部が固くて曲がる事が出来ないので、狭い溝等は清掃出来ない欠点が有った。
【０００８】  又、ブラシ部で取れない固くこびりついた汚れを掻き落とす事はその構造上出来なかった。
【問題を解決するための手段】
【０００９】  上記課題を解決するために本考案は、合成樹脂からなる清掃具であって、少なくとも２個以上で構成され、各々の柄部（２）の一端が平面に連続する鋭角形状（３）を有し、更に断面に鋭角形状を有する円形ローレット（４）の平面形状部を設け、もう一方の柄部（２’）の一端には、柄部（２）、（２’）と平行方向に一体成形で形成されたブラシ部（５）を設けたことを特徴としている。
【００１０】  更に、少なくとも２個以上で構成された隙間清掃具（１）において、隣接する柄部（２）、（２’）の間は軽度の押圧で切断出来る複数のヒンジ部（６）、（６’）が一体成形の手段で形成され、同時に柄部（２’）とブラシ部（５）も一体成形の手段で形成して同時に設けたことを特徴としている。
本考案は以上のような構成からなる隙間清掃具である。
【考案の効果】
【００１１】  本考案の隙間清掃具は以上のような構成であるため、いわゆる柄部とブラシ部の関係がちょうどハケのような構造となるので、かなり狭い溝でも、ブラシ部のブラシのみが入ることが出来れば、ゴミや汚れを掃きだすことが出来る優れたものとなる。
【００１２】  柄部のもう一端が平面的にも断面的にも鋭角形状を有するため、柄部自体がブラシ部で取れないような固くこびりついた汚れを掻き落とすことの出来る優れた清掃具となる。
【００１３】  又、柄部に一体成形でブラシ部を設けているため、製造コストが安く出来、柄部も薄く形成することが出来る。
【００１４】  なお、少なくとも２個以上で構成された隙間清掃具は、隣接する柄部間に設けられた軽度の押圧で切断出来る複数のヒンジ部で連結されているだけなので、使用時に簡単に単体に分離して使うことが出来、保管時もバラバラにならない優れた点がある。もちろん複数個で販売する際にパッケージがしやすいという副次的な効果も挙げられる。
【図面の簡単な説明】
【００１５】
【図１】本考案の隙間清掃具が複数個ヒンジ部で繋がった一実施例を示す平面図である。
【図２】本考案の単体とした隙間清掃具の一実施例を示す斜視図である。
【図３】本考案の図２の隙間清掃具を示す平面図である。
【図４】本考案の図３のＡ−Ａ部を示す断面図である。
【考案を実施するための形態】
【００１６】  本考案における隙間清掃具の大きさ、形状、デザイン、材質、製造方法等は特に限定されないが、通常は合成樹脂成形で大量生産出来るものが好ましい。
【実施例】
【００１７】  以下、本考案の一実施例を図１、図２、図３、及び図４で説明するがこれによって本考案は何ら限定されるものではない。【００１８】  図１は、本考案の隙間清掃具（１）が、５個並列して構成される状態を示しており、各々の隙間清掃具（１）の柄部（２）、（２’）において、隣接する柄部（２）、（２’）の間に軽度の押圧で切断出来る複数のヒンジ部（６）、（６’）が設けられている。【００１９】  なお、柄部（２’）及びブラシ部（５）が柄部（２）、（２’）と平行方向に共に一体成形の手段で同時に形成されている。【００２０】  一方、各々の柄部（２）側には、平面に連続する鋭角形状（３）を有し、更に断面に鋭角形状を有する円形ローレット（４）の平面形状部が設けられている。【００２１】  なおこの平面の鋭角形状（３）の角度は概ね６０度から１２０度程度に形成されている。また円形ローレット（４）の幅も柄部との大きさの比率にもよるが、概ね０．５ｍｍから２ｍｍ程度に形成され、その断面の鋭角の角度も６０度から１２０度程度に形成されるのが好ましい。【００２２】  上記ブラシ部（５）は根元の最大幅が０．５ｍｍ以下で長さが５ｍｍから１５ｍｍ程度の多数の毛状突起部によって構成されるのが好ましい。【００２３】  なお、本考案に係る隙間清掃具（１）は、ポリプロピレン、ポリエチレン、ポリスチレン等の合成樹脂から成り、軽度の押圧で切断出来る複数のヒンジ部（６）、（６’）も成形によって同時に形成される。【００２４】  図２は、本考案で形成される隙間清掃具（１）をヒンジ部（６）、（６’）において切断し、単体使用する際の斜視図である。【００２５】  図３は、図２の単体使用時の平面図を示している。【００２６】  図４は、図３のＡ−Ａ部を示す断面図で、円形ローレット（４）が断面に鋭角形状を有することを示している。
【符号の説明】
【００２７】  １  隙間清掃具    ２、２’  柄部    ３  鋭角形状
４  円形ローレット    ５  ブラシ部    ６、６’  ヒンジ部
【図１】
0003182272.tif 000003
【図２】
0003182272.tif 000004
【図３】
0003182272.tif 000005
【図４】
0003182272.tif 000006
【手続補正書】
【提出日】平成24年12月21日(2012.12.21)
【手続補正１】
【補正対象書類名】実用新案登録請求の範囲
【補正対象項目名】全文
【補正方法】変更
【補正の内容】
【実用新案登録請求の範囲】
【請求項１】
合成樹脂からなる清掃具であって、少なくとも２個以上で構成され、各々の柄部（２）の一端が平面に連続する鋭角形状（３）を有し、更に該柄部（２）の一端の表面部及び裏面部にはそれぞれ円形放射方向に広がる円形ローレット（４）に対して鋭角形状の断面となる溝が設けられており、もう一方の柄部（２’）の一端には、柄部（２）、（２’）と平行方向に一体成形で形成されたブラシ部（５）を設けたことを特徴とする隙間清掃具セット（１）。
【請求項２】
少なくとも２個以上で構成された隙間清掃具セット（１）において、隣接する柄部（２）、（２’）の間は軽度の押圧で切断出来る複数のヒンジ部（６）、（６’）が一体成形の手段で形成され、同時に柄部（２’）とブラシ部（５）も一体成形の手段で形成して同時に設けたことを特徴とする請求項１記載の隙間清掃具セット（１）。